(57)【要約】  袋本体（１０）を含む携帯式排泄袋である。袋本体（１０）は、上方に袋口（１２）を有する。２つの保持部（１４）のそれぞれが袋本体（１２）の両側に設けられ、これにより使用者は二本の指のそれぞれを袋口（１２）の両側に固定することで、袋口（１２）の位置や大きさを調節することができる。二本の指をより効果的に袋口（１２）の両側に固定するように、指と密着する各保持部（１４）の一面に粘着剤が塗布されている。袋本体（１０）を密封するように、袋本体（１０）の上方における袋口（１２）寄りの位置にチャック（１６）を設置してもよい。袋本体（１０）の底部に開口（１８）が設けられており、これにより袋本体（１０）の内容物を排出できる。開口（１８）には、内容物の排出をコントロールするバルブ（２０）を設けてもよい。開口（１８）には、内容物を外へ導くように、開口（１８）と連結する排泄管（２２）を設けてもよい。トイレが見つからない場所では、使用者は立ったままこの携帯式排泄袋を使用することができると共に、排泄袋を密封して持ち帰ることができる。この携帯式排泄袋は、病院において患者の糞尿の収集にも使用し得る。
2013509897.tif 000002
【特許請求の範囲】
【請求項１】
上方に袋口を有する袋本体と、
前記袋口の両側のそれぞれに位置する２つの保持部と、
を含み、使用者は、前記保持部によって二本の指のそれぞれを前記袋口の両側に固定し、人体の排泄孔を覆うように前記袋口の位置及び開口の大きさを調節し、指と密着する前記保持部の一面には粘着剤が塗布されることを特徴とする、携帯式排泄袋。
【請求項２】
前記袋口の下方には、前記袋本体を密封するチャックが更に設けられていることを特徴とする、請求項１に記載の携帯式排泄袋。
【請求項３】
前記袋本体には、前記袋本体内の内容物を外へ排出するか否かをコントロールするバルブが設けられていることを特徴とする、請求項２に記載の携帯式排泄袋。
【請求項４】
前記袋本体には、前記袋本体内の内容物を外へ排出する開口が設けられていることを特徴とする、請求項１に記載の携帯式排泄袋。
【請求項５】
前記開口には、前記袋本体内の内容物を外へ排出するか否かをコントロールするチャックが設けられていることを特徴とする、請求項４に記載の携帯式排泄物袋。
【請求項６】
前記開口は、前記袋本体の底部の一角に設けられていることを特徴とする、請求項４に記載の携帯式排泄袋。
【請求項７】
前記開口には、前記袋本体内の内容物を導く排泄管が更に連結されていることを特徴とする、請求項４に記載の携帯式排泄袋。
【請求項８】
前記袋本体はプラスチック又は紙で作られていることを特徴とする、請求項１に記載の携帯式排泄袋。
【請求項９】
前記保持部は、前記袋本体を指に直接引っ掛けることができるｍ型構造であることを特徴とする、請求項１に記載の携帯式排泄袋。
【請求項１０】
前記保持部は、前記袋本体から延在して形成されていることを特徴とする、請求項１に記載の携帯式排泄袋。
【請求項１１】
前記ｍ型構造の端部の少なくとも一箇所が前記袋本体上に固定されていることを特徴とする、請求項９に記載の携帯式排泄袋。
【請求項１２】
人体の排泄部に密着する前記保持部の一面に吸水層が設けられていることを特徴とする、請求項１に記載の携帯式排泄袋。
【請求項１３】
前記袋本体は、底部の一角が相対的に突出した四辺形又は多辺形であり、突出した前記角に開口が設けられていることを特徴とする、請求項１に記載の携帯式排泄袋。
【請求項１４】
前記袋本体は、前記開口の周辺に突出した薄片が設けられていることを特徴とする、請求項４に記載の携帯式排泄袋。
【請求項１５】
前記袋口は、前方が高くて後方が低く、前記保持部は、前記袋口の前方の両側に位置すると共に、前記袋口の後方と鈍角である夾角を成すことを特徴とする、請求項１に記載の携帯式排泄袋。
【請求項１６】
前方が高くて後方が低い袋口を上方に有する袋本体と、
前記袋口の前方の両側のそれぞれに位置する２つの保持部と、
を含み、前記保持部と前記袋口の後方とは、鈍角である夾角を成し、使用者は、前記保持部によって二本の指のそれぞれを前記袋口の両側に固定し、人体の排泄孔を覆うように前記袋口の位置と開口の大きさを調節する、携帯式排泄袋。
【請求項１７】
前記袋口の下方には、前記袋本体を密封可能なチャックが更に含まれることを特徴とする、請求項１６に記載の携帯式排泄袋。
【請求項１８】
前記袋本体は、底部の一角が相対的に突出した四辺形又は多辺形であり、突出した前記角には、前記袋本体の内容物を外へ排出する開口が設けられていることを特徴とする、請求項１６に記載の携帯式排泄袋。
【請求項１９】
前記保持部は、指を粘着可能な材料で作られていることを特徴とする、請求項１６に記載の携帯式排泄袋。
【請求項２０】
前記保持部は、使用者の指を挿入する指キャップであることを特徴とする、請求項１６に記載の携帯式排泄袋。
【発明の詳細な説明】
【技術分野】
【０００１】
本発明は、携帯式排泄袋に関し、より詳しくは排泄物を収集でき、かつ尿を導出することができる携帯式排泄袋に関する。
【背景技術】
【０００２】
屋外にトイレがない場合、どのようにして排泄問題を解決したらよいのかは、外出者にとって最も困惑する問題である。また、女性は汚れ過ぎた公衆トイレの便器を見て座ることを躊躇し、つい我慢してしまう。しかしながら、長時間の我慢は身体に疾患をもたらし、特に腎臓に大きな負担をかけてしまう。
【０００３】
また、一般的な健康診断の尿検査の多くにおいて、尿液の採取に紙コップや使い捨ての紙袋が提供され、尿液は、その後、紙コップや使い捨ての紙袋から試験管に移される。しがしながら、紙コップ及び紙袋は相当扱い難く、うっかりすると紙コップや紙袋を持つ手に尿液がついてしまい、運ぶ過程でも異臭やこぼれることで気まずい思いをすることがしばしばある。また、試験管の口が小さすぎて尿液を紙コップや紙袋の中から試験管に入れることも容易ではない。
【０００４】
従って、本発明は、上記問題を効果的に解決する携帯式排泄袋を提供する。具体的な構造及びその実施形態について、以下において詳細に述べる。
【発明の概要】
【発明が解決しようとする課題】
【０００５】
本発明の主要な目的は、袋本体の袋口に指を固定できる保持部が設けられ、指で袋口の開閉具合又は位置を操作して人体に密着させることで、より確実に排泄孔に合わせて排泄物を受け取ることができる携帯式排泄袋を提供することにある。
【０００６】
本発明のもう１つの目的は、チャックにより袋本体を密封し、屋外にトイレがない場合でも排泄問題を解決できると共に排泄物を持ち帰ることができる携帯式排泄袋を提供することにある。
【０００７】
本発明の更なる１つの目的は、チャックによって袋本体を密封し、該袋本体にバルブが連結された開口が更に設けられた、尿検査用袋としての用途を有する携帯式排泄袋を提供することにある。
【０００８】
本発明のまた更なる１つの目的は、袋本体に設けられた開口又は底部の開口に連結した排泄管により内容物の排出方向をコントロールすることで、女性が立ったままで排尿の問題を解決し、衣服の汚れを防止することができる携帯式排泄袋を提供することにある。
【課題を解決するための手段】
【０００９】
上記目的を達成するために、本発明は携帯式排泄袋を提供し、該携帯式排泄袋は袋本体を含む。袋本体上方の袋口の両側のそれぞれに保持部が設けられており、二本の指をより効果的に袋口の両側に固定するように、指と密着する保持部の一面に粘着剤が塗布されている。使用者は、二本の指のそれぞれを保持部によって袋口の両側に固定し、尿道口や肛門と密着して排泄物を受け取るように、指の触覚と器用さで袋口の位置や開口の大きさを調節する。また、袋口寄りの位置に袋本体を密封できるチャックが設けられており、屋外にトイレがない場合の排泄問題を解決できる。袋本体内の内容物を排出するように、袋本体に開口が設けられており、該開口には、内容物の排出をコントロールするバルブが設けられおり、特に検尿に好適に用いられる。または、内容物の排出方向をコントロールするように、排泄管が設けられている。
【００１０】
上記目的を達成するために、本発明は携帯式排泄袋を提供し、該携帯式排泄袋は、前方が高くて後方が低い袋口を上方に有する袋本体を含む。袋本体の袋口には、前方の両側のそれぞれに保持部が設けられており、かつ保持部と袋口の後方とが成す夾角は鈍角である。使用者は、二本の指のそれぞれを保持部によって袋口の両側に固定し、人体の排泄孔を覆うように、指の触覚と器用さで袋口の位置と開口の大きさを調節する。
【発明の効果】
【００１１】
本発明は、上記の技術的特徴により、本発明がより容易に操作、使用できると共に、肌に更に密着して尿道口や肛門と密着でき、外に漏らすことなく排泄物を確実に受け取ることができる。使用者によるあらゆる場所での使用に好適であり、車の中又は女性が立ったままでも安心して生理上の問題を解決できるといった有益な技術的効果を得ることができる。
【図面の簡単な説明】
【００１２】
【図１】図１Ａ及び図１Ｂは、本発明による携帯式排泄袋の実施例１を示す斜視図である。図１Ｃは、本発明による携帯式排泄袋の実施例２を示す模式図である。
【図２】図２Ａ〜図２Ｅは、本発明による携帯式排泄袋の実施例３における保持部の幾つかの実施形態を示す模式図である。
【図３】図３Ａ〜図３Ｄは、本発明による携帯式排泄袋の実施例４を示す模式図である。
【図４】本発明による携帯式排泄袋の実施例５を示す模式図である。
【図５】図５Ａ及び図５Ｂは、図４に排泄管を更に装着した模式図である。
【発明を実施するための形態】
【００１３】
本発明の目的、技術的内容、特徴及び達成した効果をより理解し易いよう、以下において具体的な実施例で詳しく説明する。
【実施例１】
【００１４】
本実施例は、携帯式排泄袋を提供する。図１Ａ及び図１Ｂに示すように、この携帯式排泄袋は、袋本体１０を含む。収納及び携帯しやすいように、袋本体１０は、プラスチックや紙等の軟性材質で作られることができる。袋本体１０は、上方に袋口１２を有している。袋口１２の両側のそれぞれに保持部１４が設けられており、指を保持部１４に固定できる（図１Ｂに示す）。また、二本の指をより効果的に袋口１２の両側に固定するように、指と密着する保持部１４の一面に粘着剤１３が塗布されている。これにより、指により袋口１２の位置又は開口の大きさを調節することができ、指の触覚を通じて、より正確に尿道口や肛門に合わせることで排泄物を受け取ることができ、指と人体との密着性により、排泄物が外に漏れにくくなる。袋本体１０に肌触りの良い特性の軟性材質を用いれば、使用者により快適さを感じさせることができる。
【実施例２】
【００１５】
上記袋口１２は、図１Ａ及び図１Ｂに示すような構造のほかに、図１Ｃに示すように、前方が高く後方が低い構造に設計されてもよい。袋口１２の前方を指の方向に向けて、袋口１２の後方を臀部に向けて使用する。袋口１２の前方の両側に位置する保持部１４と袋口１２の後方とが成す夾角１１は鈍角であり、特に女性の使用に好適である。
【実施例３】
【００１６】
図２Ａから図２Ｅを参照する。袋本体１０を密封できるように、袋本体１０の袋口１２寄りの部位にチャック１６が設けられており、屋外にトイレがない場合、排泄問題の解決が可能となる。また、保持部１４は図１Ａ、図１Ｂ及び図１Ｃのような形態のほかに、図２Ａから図２Ｅに示すような形態であってもよい。その中の図２Ａ、図２Ｂ及び図２Ｄでの保持部１４は、軟性材質であってもよい。図２Ｃ及び図２Ｅでの保持部１４は、比較的硬度のあるｍ型構造であり、袋本体１０を直ちに指に引っ掛けることができ、様々な太さの指に適用可能である。または、袋本体１０を指に粘着できるように、袋口１２の外側に粘着剤１３を付着させる。保持部１４は、指を粘着できる材料で作られるか、又は保持部１４は、使用者の指を挿入する２つの指キャップである。図２Ａ及び図２Ｂに示すような保持部１４は、軟性薄膜材質の袋本体１０から延びて下方へ曲がるｍ型構造である。その中の図２Ａに示すように、より安定させるために、保持部１４の端部の少なくとも一箇所を袋本体１０に固定してもよい。また、図２Ｂに示すように、指をより効果的に袋口１２の両側に固定させ、かつ指の太さに関らず適用可能にするように、指と密着する保持部１４の一面に粘着剤１３を塗布し、保持部１４を二本の指に覆わせて二本の指に粘着させてもよい。更に、排泄物が外に漏れて体や衣服を汚すことがないように、人体の排泄部と密着する保持部１４の一面に吸水層１５を粘着してもよい。この保持部１４の実施形態は、図２Ａから図２Ｅに示すものに限定されず、袋本体１０を保持できる形態であれば、いずれも本発明の範囲内に含まれる。
【実施例４】
【００１７】
図３Ａから図３Ｄを参照する。内容物を外へ排出するように、袋本体１０に開口１８が設けられている。袋本体１０内の内容物を外へ排出するか否かをコントロールするように、開口１８にバルブ２０が取り付けられている。その中の図３Ｃでのバルブ２０は、開口１８に設けられたチャックであり、これにより使用者は、本発明による携帯式排泄袋を使用した後に、バルブ２０をコントロールすることにより内容物を開口１８から外へ排出できる。本発明を検尿に適用すれば、尿液の受け取りが便利になるだけでなく、尿液を試験管に入れることも容易にできる。このバルブ２０の実施形態は、図３Ａから図３Ｄに示すものに限定されず、袋本体１０の内容物の排出をコントロールできるバルブ装置であれば、いずれも本発明の範囲内に含まれる。
【実施例５】
【００１８】
図４は、本発明のもう１つの実施形態である。女性は、公衆トイレを利用する際、便器が汚れ過ぎているために我慢してしまうことがしばしばある。このため、本発明における袋本体１０は、底部の一角が比較的突出した四辺形又は多辺形に設計され、かつ突出した該角に開口１８が設けられている。使用者は立ったままで直接袋本体１０の中へ排泄することができ、尿液は開口１８を通して便器中に注がれる。また、突出した一角の設計によって、排尿出口は前方へ延伸し、尿液は身体から比較的遠く離れる。また、開口１８の方向をコントロールするために、袋本体１０の開口１８の周辺に、もう一方の手で持つための突出した薄片２１を設けてもよい。更に、図５Ａに示すように、底部の一角に位置する開口１８に排泄管２２を連結してもよい。排泄管２２を経由して袋本体１０の中の尿液をより確実に便器に注ぐことができ、図５Ｂに示すように汚れた便器に座らずに済むだけでなく、尿液は身体から遠く離れた排泄管２２の排出口から排出されるため、尿液が衣服の上に垂れることを防止できる。
【００１９】
本発明は、尿液だけではなく、糞便をも収集できる。指を保持部の中に固定するだけで、人体の排泄孔を覆うようにして自由に携帯式排泄袋の位置や開口の大きさを容易に調節できる。そして、使用者は、袋本体を密封したり、排泄物を持ち帰って捨てたりすることができ、又は試験管の中に移したり、携帯式排泄袋から直接便器へ排尿したりすることもできる。
【００２０】
上述したように、本発明による携帯式排泄袋において、指を保持部に固定することで袋口の位置や開口の大きさを容易に調節でき、さらに本発明を肌に更に密着させかつ尿道口や肛門に密着させることで、外に漏らすことなく確実に排泄物を受け取ることができる。使用者によるあらゆる場所での使用に好適であり、車の中又は立ったままでも安心して生理上の問題を解決することができる。
【００２１】
上記での本発明に関する記述は説明であり、限定するものではない。特許請求の範囲における記載の趣旨及び範囲内において、それに対して多くの修正、変化、又は同等の代替を行い得ることは当業者によって理解され、これらのすべでは本発明の範囲内に含まれる。
【符号の説明】
【００２２】
１０  袋本体
１１  夾角
１２  袋口
１３  粘着剤
１４  保持部
１５  吸水層
１６  チャック
１８  開口
２０  バルブ
２１  薄片
２２  排泄管
【図１Ａ】
2013509897.tif 000003
【図１Ｂ】
2013509897.tif 000004
【図１Ｃ】
2013509897.tif 000005
【図２Ａ】
2013509897.tif 000006
【図２Ｂ】
2013509897.tif 000007
【図２Ｃ】
2013509897.tif 000008
【図２Ｄ】
2013509897.tif 000009
【図２Ｅ】
2013509897.tif 000010
【図３Ａ】
2013509897.tif 000011
【図３Ｂ】
2013509897.tif 000012
【図３Ｃ】
2013509897.tif 000013
【図３Ｄ】
2013509897.tif 000014
【図４】
2013509897.tif 000015
【図５Ａ】
2013509897.tif 000016
【図５Ｂ】
2013509897.tif 000017
【手続補正書】
【提出日】平成23年9月5日(2011.9.5)
【手続補正１】
【補正対象書類名】明細書
【補正対象項目名】全文
【補正方法】変更
【補正の内容】
【発明の詳細な説明】
【技術分野】
【０００１】
本発明は、携帯式排泄袋に関し、より詳しくは排泄物を収集でき、かつ尿を導出することができる携帯式排泄袋に関する。
【背景技術】
【０００２】
屋外にトイレがない場合、どのようにして排泄問題を解決したらよいのかは、外出者にとって最も困惑する問題である。また、女性は汚れ過ぎた公衆トイレの便器を見て座ることを躊躇し、つい我慢してしまう。しかしながら、長時間の我慢は身体に疾患をもたらし、特に腎臓に大きな負担をかけてしまう。
【０００３】
また、一般的な健康診断の尿検査の多くにおいて、尿液の採取に紙コップや使い捨ての紙袋が提供され、尿液は、その後、紙コップや使い捨ての紙袋から試験管に移される。しがしながら、紙コップ及び紙袋は相当扱い難く、うっかりすると紙コップや紙袋を持つ手に尿液がついてしまい、運ぶ過程でも異臭やこぼれることで気まずい思いをすることがしばしばある。また、試験管の口が小さすぎて尿液を紙コップや紙袋の中から試験管に入れることも容易ではない。
【０００４】
従って、本発明は、上記問題を効果的に解決する携帯式排泄袋を提供する。具体的な構造及びその実施形態について、以下において詳細に述べる。
【発明の概要】
【発明が解決しようとする課題】
【０００５】
本発明の主要な目的は、袋本体の袋口に指を固定できる保持部が設けられ、指で袋口の開閉具合又は位置を操作して人体に密着させることで、より確実に排泄孔に合わせて排泄物を受け取ることができる携帯式排泄袋を提供することにある。
【０００６】
本発明のもう１つの目的は、チャックにより袋本体を密封し、屋外にトイレがない場合でも排泄問題を解決できると共に排泄物を持ち帰ることができる携帯式排泄袋を提供することにある。
【０００７】
本発明の更なる１つの目的は、チャックによって袋本体を密封し、該袋本体にバルブが連結された開口が更に設けられた、尿検査用袋としての用途を有する携帯式排泄袋を提供することにある。
【０００８】
本発明のまた更なる１つの目的は、袋本体に設けられた開口又は底部の開口に連結した排泄管により内容物の排出方向をコントロールすることで、女性が立ったままで排尿の問題を解決し、衣服の汚れを防止することができる携帯式排泄袋を提供することにある。
【課題を解決するための手段】
【０００９】
上記目的を達成するために、本発明は携帯式排泄袋を提供し、該携帯式排泄袋は、袋口を上方に有する袋本体を含む。袋本体は、袋本体を形成する２つの側壁と、底部の底縁とを含み、袋口と底縁との間に一定の高さがある。袋本体上方の袋口の両側のそれぞれに保持部が設けられており、二本の指をより効果的に袋口の両側に固定するように、指と密着する保持部の一面に粘着剤が塗布されている。使用者は、二本の指のそれぞれを保持部によって袋口の両側に固定し、尿道口や肛門と密着して排泄物を受け取るように、指の触覚と器用さで袋口の位置や開口の大きさを調節する。また、袋口寄りの位置に袋本体を密封できるチャックが設けられており、屋外にトイレがない場合の排泄問題を解決できる。袋本体内の内容物を排出するように、袋本体に開口が設けられており、該開口には、内容物の排出をコントロールするバルブが設けられおり、特に検尿に好適に用いられる。または、内容物の排出方向をコントロールするように、排泄管が設けられている。
【００１０】
上記目的を達成するために、本発明は携帯式排泄袋を提供し、該携帯式排泄袋は、前方が高くて後方が低い袋口を上方に有する袋本体を含む。袋本体は、該袋本体を形成する２つの側壁と、底部の底縁とを含み、袋口と底縁との間に一定の高さがある。袋本体の袋口には、前方の両側のそれぞれに保持部が設けられており、かつ保持部と袋口の後方とが成す夾角は、身体と接触する側において鈍角である。使用者は、二本の指のそれぞれを保持部によって袋口の両側に固定し、人体の排泄孔を覆うように、指の触覚と器用さで袋口の位置と開口の大きさを調節する。
【発明の効果】
【００１１】
本発明は、上記の技術的特徴により、本発明がより容易に操作、使用できると共に、肌に更に密着して尿道口や肛門と密着でき、外に漏らすことなく排泄物を確実に受け取ることができる。使用者によるあらゆる場所での使用に好適であり、車の中又は女性が立ったままでも安心して生理上の問題を解決できるといった有益な技術的効果を得ることができる。
【図面の簡単な説明】
【００１２】
【図１】図１Ａ及び図１Ｂは、本発明による携帯式排泄袋の実施例１を示す斜視図である。図１Ｃは、本発明による携帯式排泄袋の実施例２を示す模式図である。
【図２】図２Ａ〜図２Ｅは、本発明による携帯式排泄袋の実施例３における保持部の幾つかの実施形態を示す模式図である。
【図３】図３Ａ〜図３Ｄは、本発明による携帯式排泄袋の実施例４を示す模式図である。
【図４】本発明による携帯式排泄袋の実施例５を示す模式図である。
【図５】図５Ａ及び図５Ｂは、図４に排泄管を更に装着した模式図である。
【発明を実施するための形態】
【００１３】
本発明の目的、技術的内容、特徴及び達成した効果をより理解し易いよう、以下において具体的な実施例で詳しく説明する。
【実施例１】
【００１４】
本実施例は、携帯式排泄袋を提供する。図１Ａ及び図１Ｂに示すように、この携帯式排泄袋は、袋本体１０を含む。収納及び携帯しやすいように、袋本体１０は、プラスチックや紙等の軟性材質で作られることができる。袋本体１０は、上方に袋口１２を有している。袋本体１０は、２つの側壁と底部の底縁とを有し、袋口１２と底縁との間に一定の高さがある。袋口１２の両側のそれぞれに保持部１４が設けられており、指を保持部１４に固定できる（図１Ｂに示す）。また、二本の指をより効果的に袋口１２の両側に固定するように、指と密着する保持部１４の一面に粘着剤１３が塗布されている。これにより、指により袋口１２の位置又は開口の大きさを調節することができ、指の触覚を通じて、より正確に尿道口や肛門に合わせることで排泄物を受け取ることができ、指と人体との密着性により、排泄物が外に漏れにくくなる。袋本体１０に肌触りの良い特性の軟性材質を用いれば、使用者により快適さを感じさせることができる。
【実施例２】
【００１５】
上記袋口１２は、図１Ａ及び図１Ｂに示すような構造のほかに、図１Ｃに示すように、前方が高く後方が低い構造に設計されてもよい。袋口１２の前方を指の方向に向けて、袋口１２の後方を臀部に向けて使用する。袋口１２の前方の両側に位置する保持部１４と袋口１２の後方とが成す夾角１１は、身体と接触する側において鈍角であり、女性の外陰部の曲線と合い、特に女性の使用に好適である。
【実施例３】
【００１６】
図２Ａから図２Ｅを参照する。袋本体１０を密封できるように、袋本体１０の袋口１２寄りの部位にチャック１６が設けられており、屋外にトイレがない場合、排泄問題の解決が可能となる。また、保持部１４は図１Ａ、図１Ｂ及び図１Ｃのような形態のほかに、図２Ａから図２Ｅに示すような形態であってもよい。その中の図２Ａ、図２Ｂ及び図２Ｄでの保持部１４は、軟性材質であってもよい。図２Ｃ及び図２Ｅでの保持部１４は、比較的硬度のあるｍ型構造であり、袋本体１０を直ちに指に引っ掛けることができ、様々な太さの指に適用可能である。または、袋本体１０を指に粘着できるように、袋口１２の外側に粘着剤１３を付着させる。保持部１４は、指を粘着できる材料で作られるか、又は保持部１４は、使用者の指を挿入する２つの指キャップである。図２Ａ及び図２Ｂに示すような保持部１４は、軟性薄膜材質の袋本体１０から延びて下方へ曲がるｍ型構造である。その中の図２Ａに示すように、より安定させるために、保持部１４の端部の少なくとも一箇所を袋本体１０に固定してもよい。また、図２Ｂに示すように、指をより効果的に袋口１２の両側に固定させ、かつ指の太さに関らず適用可能にするように、指と密着する保持部１４の一面に粘着剤１３を塗布し、保持部１４を二本の指に覆わせて二本の指に粘着させてもよい。更に、排泄物が外に漏れて体や衣服を汚すことがないように、人体の排泄部と密着する保持部１４の一面に吸水層１５を粘着してもよい。この保持部１４の実施形態は、図２Ａから図２Ｅに示すものに限定されず、袋本体１０を保持できる形態であれば、いずれも本発明の範囲内に含まれる。
【実施例４】
【００１７】
図３Ａから図３Ｄを参照する。内容物を外へ排出するように、袋本体１０に開口１８が設けられている。袋本体１０内の内容物を外へ排出するか否かをコントロールするように、開口１８にバルブ２０が取り付けられている。その中の図３Ｃでのバルブ２０は、開口１８に設けられたチャックであり、これにより使用者は、本発明による携帯式排泄袋を使用した後に、バルブ２０をコントロールすることにより内容物を開口１８から外へ排出できる。本発明を検尿に適用すれば、尿液の受け取りが便利になるだけでなく、尿液を試験管に入れることも容易にできる。このバルブ２０の実施形態は、図３Ａから図３Ｄに示すものに限定されず、袋本体１０の内容物の排出をコントロールできるバルブ装置であれば、いずれも本発明の範囲内に含まれる。
【実施例５】
【００１８】
図４は、本発明のもう１つの実施形態である。女性は、公衆トイレを利用する際、便器が汚れ過ぎているために我慢してしまうことがしばしばある。このため、本発明における袋本体１０は、底部の一角が比較的突出した四辺形又は多辺形に設計され、かつ突出した該角に開口１８が設けられている。使用者は立ったままで直接袋本体１０の中へ排泄することができ、尿液は開口１８を通して便器中に注がれる。また、突出した一角の設計によって、排尿出口は前方へ延伸し、尿液は身体から比較的遠く離れる。袋口１２の前方両側に位置する保持部１４と袋口１２の後方とが成す夾角１１は、体と接触する側において鈍角であり、女性の外陰部の曲線と合い、特に女性の使用に好適である。また、開口１８の方向をコントロールするために、袋本体１０の開口１８の周辺に、もう一方の手で持つための突出した薄片２１を設けてもよい。更に、図５Ａに示すように、底部の一角に位置する開口１８に排泄管２２を連結してもよい。排泄管２２を経由して袋本体１０の中の尿液をより確実に便器に注ぐことができ、図５Ｂに示すように汚れた便器に座らずに済むだけでなく、尿液は身体から遠く離れた排泄管２２の排出口から排出されるため、尿液が衣服の上に垂れることを防止できる。
【００１９】
本発明は、尿液だけではなく、糞便をも収集できる。指を保持部の中に固定するだけで、人体の排泄孔を覆うようにして自由に携帯式排泄袋の位置や開口の大きさを容易に調節できる。そして、使用者は、袋本体を密封したり、排泄物を持ち帰って捨てたりすることができ、又は試験管の中に移したり、携帯式排泄袋から直接便器へ排尿したりすることもできる。
【００２０】
上述したように、本発明による携帯式排泄袋において、指を保持部に固定することで袋口の位置や開口の大きさを容易に調節でき、さらに本発明を肌に更に密着させかつ尿道口や肛門に密着させることで、外に漏らすことなく確実に排泄物を受け取ることができる。使用者によるあらゆる場所での使用に好適であり、車の中又は立ったままでも安心して生理上の問題を解決することができる。
【００２１】
上記での本発明に関する記述は説明であり、限定するものではない。特許請求の範囲における記載の趣旨及び範囲内において、それに対して多くの修正、変化、又は同等の代替を行い得ることは当業者によって理解され、これらのすべでは本発明の範囲内に含まれる。
【符号の説明】
【００２２】
１０  袋本体
１１  夾角
１２  袋口
１３  粘着剤
１４  保持部
１５  吸水層
１６  チャック
１８  開口
２０  バルブ
２１  薄片
２２  排泄管
【手続補正２】
【補正対象書類名】特許請求の範囲
【補正対象項目名】全文
【補正方法】変更
【補正の内容】
【特許請求の範囲】
【請求項１】
上方に袋口を有する袋本体と、
前記袋口の両側のそれぞれに位置する２つの保持部と、
を含み、前記袋本体は、前記袋本体を形成する２つの側壁と、底部の底縁とを含み、前記袋口と前記底縁との間に一定の高さがあり、使用者は、前記保持部によって二本の指のそれぞれを前記袋口の両側に固定し、人体の排泄孔を覆うように前記袋口の位置及び開口の大きさを調節し、指と密着する前記保持部の一面には粘着剤が塗布されることを特徴とする、携帯式排泄袋。
【請求項２】
前記袋口の下方には、前記袋本体を密封するチャックが更に設けられていることを特徴とする、請求項１に記載の携帯式排泄袋。
【請求項３】
前記袋本体には、前記袋本体内の内容物を外へ排出するか否かをコントロールするバルブが設けられていることを特徴とする、請求項２に記載の携帯式排泄袋。
【請求項４】
前記袋本体には、前記袋本体内の内容物を外へ排出する開口が設けられていることを特徴とする、請求項１に記載の携帯式排泄袋。
【請求項５】
前記開口には、前記袋本体内の内容物を外へ排出するか否かをコントロールするチャックが設けられていることを特徴とする、請求項４に記載の携帯式排泄物袋。
【請求項６】
前記開口は、前記袋本体の底部の一角に設けられていることを特徴とする、請求項４に記載の携帯式排泄袋。
【請求項７】
前記開口には、前記袋本体内の内容物を導く排泄管が更に連結されていることを特徴とする、請求項４に記載の携帯式排泄袋。
【請求項８】
前記袋本体はプラスチック又は紙で作られていることを特徴とする、請求項１に記載の携帯式排泄袋。
【請求項９】
前記保持部は、前記袋本体を指に直接引っ掛けることができるｍ型構造であることを特徴とする、請求項１に記載の携帯式排泄袋。
【請求項１０】
前記保持部は、前記袋本体から延在して形成されていることを特徴とする、請求項１に記載の携帯式排泄袋。
【請求項１１】
前記ｍ型構造の端部の少なくとも一箇所が前記袋本体上に固定されていることを特徴とする、請求項９に記載の携帯式排泄袋。
【請求項１２】
人体の排泄部に密着する前記保持部の一面に吸水層が設けられていることを特徴とする、請求項１に記載の携帯式排泄袋。
【請求項１３】
前記袋本体は、底部の一角が相対的に突出した四辺形又は多辺形であり、突出した前記角に開口が設けられていることを特徴とする、請求項１に記載の携帯式排泄袋。
【請求項１４】
前記袋本体は、前記開口の周辺に突出した薄片が設けられていることを特徴とする、請求項４に記載の携帯式排泄袋。
【請求項１５】
前記袋口は、前方が高くて後方が低く、前記保持部は、前記袋口の前方の両側に位置すると共に、前記袋口の後方と身体と接触する側において鈍角である夾角を成すことを特徴とする、請求項１に記載の携帯式排泄袋。
【請求項１６】
前方が高くて後方が低い袋口を上方に有する袋本体と、
前記袋口の前方の両側のそれぞれに位置する２つの保持部と、
を含み、前記袋本体は、前記袋本体を形成する２つの側壁と、底部の底縁とを含み、前記袋口と前記底縁との間に一定の高さがあり、前記保持部と前記袋口の後方とは、身体と接触する側において鈍角である夾角を成し、使用者は、前記保持部によって二本の指のそれぞれを前記袋口の両側に固定し、人体の排泄孔を覆うように前記袋口の位置と開口の大きさを調節する、携帯式排泄袋。
【請求項１７】
前記袋口の下方には、前記袋本体を密封可能なチャックが更に含まれることを特徴とする、請求項１６に記載の携帯式排泄袋。
【請求項１８】
前記袋本体は、底部の一角が相対的に突出した四辺形又は多辺形であり、突出した前記角には、前記袋本体の内容物を外へ排出する開口が設けられていることを特徴とする、請求項１６に記載の携帯式排泄袋。
【請求項１９】
前記保持部は、指を粘着可能な材料で作られていることを特徴とする、請求項１６に記載の携帯式排泄袋。
【請求項２０】
前記保持部は、使用者の指を挿入する指キャップであることを特徴とする、請求項１６に記載の携帯式排泄袋。
【手続補正３】
【補正対象書類名】図面
【補正対象項目名】図４
【補正方法】変更
【補正の内容】
【図４】
2013509897.tif 000018
【手続補正４】
【補正対象書類名】図面
【補正対象項目名】図５Ａ
【補正方法】変更
【補正の内容】
【図５Ａ】
2013509897.tif 000019
【手続補正５】
【補正対象書類名】図面
【補正対象項目名】図５Ｂ
【補正方法】変更
【補正の内容】
【図５Ｂ】
2013509897.tif 000020
【国際調査報告】
2013509897.tif 000021
2013509897.tif 000022
2013509897.tif 000023
2013509897.tif 000024
2013509897.tif 000025
2013509897.tif 000026
2013509897.tif 000027